(57)【要約】【課題】夜間の停電時に、ランプシェードを懐中電灯などの照明器具として利用することのできる電気スタンドを提供する。【解決手段】主光源と、補助光源と、ランプシェード４１とを備えた電気スタンドＬにおいて、主光源を電球型蛍光灯２１とし、補助光源をＵＶＬＥＤ３１とし、ランプシェード４１を着脱可能にするとともに、ランプシェード４１のシェード４８を、放光面を内周面とする蓄光シート４９を用いて構成する。【選択図】　　図１
0003097314.tif 000002
【実用新案登録請求の範囲】
【請求項１】
主光源と、補助光源と、ランプシェードとを備えた電気スタンドにおいて、
前記主光源を蛍光灯とし、
前記補助光源をＬＥＤとし、
前記ランプシェードを着脱可能にするとともに、前記ランプシェードのシェードを、放光面を内周面とする蓄光シートを用いて構成した、
ことを特徴とする電気スタンド。
【請求項２】
請求項１に記載の電気スタンドにおいて、
前記ランプシェードは、上面の開口を閉じ、前記蛍光灯および前記ＬＥＤからの光を前記蓄光シートへ反射する蓋を有する、
ことを特徴とする電気スタンド。
【請求項３】
請求項２に記載の電気スタンドにおいて、
前記蓋に把持手段を設け、
前記蛍光灯および前記ＬＥＤからの光を放出するとともに、前記ランプシェード内の熱を放出する放出手段を設けた、
ことを特徴とする電気スタンド。
【請求項４】
請求項１から請求項３のいずれか１項に記載の電気スタンドにおいて、
前記補助光源をＵＶＬＥＤとした、
ことを特徴とする電気スタンド。
【考案の詳細な説明】
【０００１】
【考案の属する技術分野】
この考案は、夜間に災害が発生して停電した場合、ランプシェードを懐中電灯などの照明器具として使用することのできる電気スタンドに関するものである。
【０００２】
【従来の技術】
従来から、ランプシェードのシェードを発光させて周囲を照明するため、シェードに蓄光性を持たせた電気スタンドが提案されている（例えば、特許文献１参照。）。
【０００３】
【特許文献１】
実開平３−１１６５１２号公報（第３頁第８行目〜第６頁第４行目、図１〜図４）
【０００４】
【考案が解決しようとする課題】
例えば、夜間の就寝時に台風、火事などの災害によって停電になると、通常、避難用の懐中電灯などの照明器具を枕元に用意しておかないので、避難路を照明するための照明器具が必要になる。
しかしながら、上記した特許文献１に記載されている電気スタンドは、シェードに蓄光性を持たせているものの、ランプシェードを取り外すことができない。
したがって、暗い避難路を懐中電灯などの照明器具なしで避難しなければならず、危険である。
【０００５】
この考案は、上記したような不都合を解消するためになされたもので、夜間の停電時に、ランプシェードを懐中電灯などの照明器具として使用することのできる電気スタンドを提供するものである。
【０００６】
【課題を解決するための手段】
この考案は、主光源と、補助光源と、ランプシェードとを備えた電気スタンドにおいて、主光源を蛍光灯とし、補助光源をＬＥＤとし、ランプシェードを着脱可能にするとともに、ランプシェードのシェードを、放光面を内周面とする蓄光シートを用いて構成したものである。
そして、ランプシェードは、上面の開口を閉じ、蛍光灯およびＬＥＤからの光を蓄光シートへ反射する蓋を有し、さらに、蓋に把持手段を設け、蛍光灯およびＬＥＤからの光を放出するとともに、ランプシェード内の熱を放出する放出手段を設けるのが望ましい。
なお、補助光源をＵＶＬＥＤとするのが望ましい。
【０００７】
【考案の実施の形態】
以下、この考案の実施形態を図に基づいて説明する。
図１はこの考案の第１実施形態である電気スタンドの一部を断面にして概略構成を示す側面図、図２は図１に示したシェードを構成する蓄光シートの拡大断面図である。
【０００８】
図１において、電気スタンドＬは、スタンド１１と、このスタンド１１の上端に設けられたソケット（図示省略）に着脱可能に取り付けられた主光源としての電球型蛍光灯２１と、スタンド１１に支持アーム１２を介して取り付けられた補助光源としての複数のＵＶＬＥＤ（紫外線発光ダイオード）３１と、電球型蛍光灯２１に対して着脱可能に取り付けられたランプシェード４１とで構成されている。
なお、コンセントに接続するプラグ、このプラグから延びているコード、スイッチなどの図示は省略されている。
そして、電球型蛍光灯２１は６０Ｗであり、また、ＵＶＬＥＤ３１は３つ設けられ、各ＵＶＬＥＤ３１は０．８Ｗである。
【０００９】
上記した第１実施形態のランプシェード４１は、例えば、円錐台形状の骨組４２と、この骨組４２の円錐台形状の周面に取り付けられたシェード（笠）４８とで構成されている。
【００１０】
そして、骨組４２は、金属線材を所定の形状に折り曲げ、電球型蛍光灯２１に着脱自在とされた取付部４３と、この取付部４３の上端に上側へ放射状に拡開させて取り付けられた周方向に等分割で位置する少なくとも２本の金属製のスパイダ４４と、このスパイダ４４の上端（外周端）に、例えば、溶接によって取り付けられた金属製の上側リング４５と、この上側リング４５に上端が溶接によって取り付けられ、円錐台形状に下側へ拡開する複数の金属製の骨４６と、この複数の骨４６の下側に溶接によって取り付けられた金属製の下側リング４７とで構成されている。
【００１１】
そして、シェード４８は、一例を示すと、図２に示すように、蓄光シート４９と、この蓄光シート４９の反射層４９ｃ側に貼り付けられた装飾シート５０とで構成されている。
【００１２】
上記した蓄光シート４９は、図２に示すように、１５０μｍの透明なＰＶＣ（ポリ塩化ビニル）フィルム層４９ａと、このＰＶＣフィルム層４９ａの片面に２４０μｍの厚さに形成された蓄光層４９ｂと、この蓄光層４９ｂのＰＶＣフィルム層４９ａと反対側の面に１５μｍ〜３０μｍの厚さに形成された反射層４９ｃとで構成されている。
なお、装飾シート５０は、シェード４８の外周面を形成するものであり、反射層４９ｃの蓄光層４９ｂと反対側の面に貼り付けられている。
したがって、蓄光シート４９の放光面とは、ＰＶＣフィルム層４９ａの蓄光層４９ｂと反対側の面になる。
そして、蓄光層４９ｂは、ＰＬＯ−６ＢまたはＰＬＯ−７Ｂ（緑の蓄光顔料）５５％と、スチロール４５％とで構成されている。
【００１３】
図３は蓄光シートを構成する蓄光材の一例を示す特性図、図４は蓄光シートを構成する蓄光材の他の例を示す特性図である。
【００１４】
図３における蓄光材はＰＬＯ−６Ｂ（緑の蓄光顔料）であり、また、図４における蓄光材はＰＬＢ−６Ｂ（青の蓄光顔料）である。
図３および図４における測定条件は、データモードが蛍光で、スキャンスピードが３００００ｎｍ／ｍｉｎで、励起開始波長は２００．０ｎｍで、励起終了波長は５００．０ｎｍで、励起波長のサンプリング間隔は５．０ｎｍで、蛍光開始波長は４００．０ｎｍで、蛍光終了波長は７００．０ｎｍで、蛍光波長のサンプリング間隔は５．０ｎｍで、等高線間隔は図３において１．０００、また、図４において１５０．０で、スリット（ＥＸ／ＥＭ）は５．０ｎｍ／５．０ｎｍで、ホトマル電圧は４００Ｖで、レスポンスは自動である。
なお、ＥＸ（ｅｘｃｉｔｅｍｅｎｔ）は励起周波数で、ＥＭ（ｅｍｉｔ）は発光周波数である。
【００１５】
図３から分かるように、ＰＬＯ−６Ｂ（緑の蓄光顔料）は、３６５ｎｍ付近または４１５ｎｍ付近の励起周波数が効率よく５２０ｎｍ付近の光（緑色）を発光させることができる。
したがって、３６５ｎｍ付近または４１５ｎｍ付近の周波数を出力がＵＶＬＥＤ３１を使用することにより、効率よく蓄光シート４９を発光させることができる。
また、図４から分かるように、ＰＬＢ−６Ｂ（青の蓄光顔料）は、３６５ｎｍ付近の励起周波数が効率よく４８５ｎｍ付近の光（青色）を発光させることができる。
したがって、３６５ｎｍ付近の周波数を出力がＵＶＬＥＤ３１を使用することにより、効率よく蓄光シート４９を発光させることができる。
【００１６】
図５は蓄光シートの発光持続性の一例を示す特性図である。
図５における蓄光材はＰＬＧ−０２５Ｈ（緑の蓄光顔料）である。
そして、励起光源をＤ６５標準色蛍光灯−Ｂとし、励起時間を１５分（５分でもよい。）として、ミノルタ輝度計ＬＳ−１００で測定した。
【００１７】
次に、動作、作用について説明する。
まず、就寝前に、電球型蛍光灯２１を所定時間、例えば、５分間以上点灯させて蓄光シート４９の蓄光層４９ｂへ光を照射させると、図５に示すように、約１１００ｍｃｄ／ｍ２で発光するエネルギーが蓄光層４９ｂに蓄えられる。
そして、電球型蛍光灯２１を消灯させるとともに、複数のＵＶＬＥＤ３１を点灯させて就寝すると、蓄光層４９ｂへ複数のＵＶＬＥＤ３１が点灯した光が照射されることにより、蓄光層４９ｂはエネルギーを持続する。
【００１８】
このように蓄光層４９ｂにエネルギーが蓄えられている状態で、例えば、災害が発生して停電になると、複数のＵＶＬＥＤ３１は消灯するものの、蓄光層４９ｂが発光することにより、約１１００ｍｃｄ／ｍ２の光がランプシェード４１から発せられる。
そこで、ランプシェード４１を電気スタンドＬから取り外し、下側リング４７側を前方へ向けると、蓄光層４９ｂからの光は反射層４９ｃで反射されて下側リング４７側へ向かうので、前方を照らすことができる。
したがって、ランプシェード４１を懐中電灯などの照明器具として使用し、避難路を照明しながら安全に避難することができる。
【００１９】
このようにランプシェード４１から発せられる光は、ＪＩＳ　Ｚ９１０７の５．１０におけるりん光輝度のレベル１（１１０ｍｃｄ／ｍ２）に低下するのに約１０分、さらに、レベル２（５０ｍｃｄ／ｍ２）に低下するのにさらに約３０分、さらに、レベル３（２４ｍｃｄ／ｍ２）に低下するのにさらに約５０分、さらに、レベル４（７ｍｃｄ／ｍ２）に低下するのにさらに約２１０分を要する。
したがって、ランプシェード４１から発せられる光が、暗闇の中でも充分である２４ｍｃｄ／ｍ２に低下するまでに約９０分要するので、災害に対応する時間としては充分である。
【００２０】
上述したように、この考案の第１実施形態によれば、主光源を電球型蛍光灯２１とし、補助光源をＵＶＬＥＤ３１とし、ランプシェード４１を着脱可能にするとともに、シェード４８を蓄光シート４９を用いて構成したので、例えば、就寝時にＵＶＬＥＤ３１で蓄光シート４９へ光を照射し続けることにより、災害によって停電時しても、ランプシェード４１を懐中電灯などの照明器具として利用して避難路を安全に避難することができる。
そして、主光源を６０Ｗの電球型蛍光灯２１としたので、実際の電力は１２Ｗ程度と低消費電力で、発熱が少なくなり、蓄光シート４９への蓄光光源として最適であるとともに、ランプシェード４１が高温にならず、火傷をすることがなくなる。
【００２１】
また、複数のＵＶＬＥＤ３１の光で蓄光シート４９ｂの励起を効率よく持続させるので、停電時においても充分な発光を、避難に必要な３０分以上も維持させることができる。
そして、複数のＵＶＬＥＤ３１は毎晩８時間使用しても１ヶ月の電気代は１０円程度であり、また、ＵＶＬＥＤ３１は耐久性を備えているので、電気代も少なくて済み、経済的である。
さらに、蓄光シート４９、すなわち、蓄光層４９ｂの耐久性は半永久的であるので、長期の使用に供することができる。
【００２２】
図６はこの考案の第２実施形態である電気スタンドの一部を破断して概略構成を示す側面図、図７は図６に示した蓋を示す拡大平面図であり、図１、図２と同一部分に同一符号を付して説明を省略する。
なお、この第２実施形態の電気スタンドＬが、第１実施形態の電気スタンドＬと異なる部分は、後述するように、蓋５１を設けた点である。
【００２３】
図６において、電気スタンドＬは、スタンド１１と、このスタンド１１の上端に設けられたソケット（図示省略）に着脱可能に取り付けられた主光源としての電球型蛍光灯２１と、スタンド１１に支持アーム１２を介して取り付けられた補助光源としての複数のＵＶＬＥＤ３１と、電球型蛍光灯２１に対して着脱可能に取り付けられたランプシェード４１とで構成されている。
【００２４】
そして、第２実施形態のランプシェード４１は、円錐台形状の骨組４２と、この骨組４２の円錐台形状の周面に取り付けられたシェード（笠）４８と、このシェード４８の上面の開口を閉じ、電球型蛍光灯２１およびＵＶＬＥＤ３１からの光をランプシェード４１の内周面、すなわち、蓄光シート４９へ下側に設けられた反射面で反射する蓋５１とで構成されている。
【００２５】
上記した蓋５１は、図６に示すように、外周面が上側リング４５の内周に、例えば、接着によって取り付けることができるように円形の平板で構成されている。
そして、蓋５１には、図７に示すように、持ち歩くために指先を差し込んで把持する把持手段として機能し、電球型蛍光灯２１およびＵＶＬＥＤ３１からの光を放出するとともに、ランプシェード４１内の熱を放出する放出手段として機能する、例えば、同心円上に１２０度分割で位置させた直径２５ｍｍの３つの取手用孔５１ａと、この取手用孔５１ａと同様に機能する、３つの取手用孔５１の中心に位置させた、例えば、直径３０ｍｍの取手用孔５１ｂとが設けられている。
【００２６】
次に、この第２実施形態における第１実施形態と異なる動作または作用について説明する。
この第２実施形態においては、電球型蛍光灯２１からの光を蓋５１で反射させて蓄光シート４９へ供給するとともに、複数のＵＶＬＥＤ３１からの光を蓋５１で反射させて蓄光シート４９へ供給する。
そして、蓋５１の取手用孔５１ａ，５１ｂから熱、光が放出される。
【００２７】
上述したように、この考案の第２実施形態によれば、第１実施形態と同様な効果を得ることができる。
そして、電球型蛍光灯２１およびＵＶＬＥＤ３１からの光をランプシェード４１の内周面へ反射する蓋５１を設けたので、蓄光シート４９に、例えば、２０％以上効率よくエネルギーを蓄えさせてより明るい光で長時間発光させることができるとともに、直接電球型蛍光灯２１に手が触れるのを防止して安全性を向上させることができる。
【００２８】
また、蓋５１に取手用孔５１ａ，５１ｂを設けたので、ランプシェード４１の内に熱を籠もらせることなく、また、周囲に光を放出させながら蓄光シート４９により多くのエネルギーを蓄えさせることができるとともに、避難時の照明器具として利用する場合、取手用孔５１ａまたは取手用孔５１ｂを利用して安定した状態で把持することができる。
さらに、蓋５１は、円形の平板に取手用孔５１ａ，５１ｂを開設すればよいので、安価に製作することができる。
【００２９】
図８はこの考案の第３実施形態である電気スタンドの一部を断面にして概略構成を示す側面図、図９は図８に示した蓋を示す拡大平面図であり、図１、図２および図６、図７と同一部分に同一符号を付して説明を省略する。
なお、この第３実施形態の電気スタンドＬが、第２実施形態の電気スタンドＬと異なる部分は、後述するように、スパイダ４４が４本である点と、蓋５１をシェード４８内に位置させた点と、蓋５１に傾斜貫通孔５１ｃを設けた点と、シェード４８と蓋５１との間に環状開口部を設けた点とである。
【００３０】
図８において、電気スタンドＬは、スタンド１１と、このスタンド１１の上端に設けられたソケット（図示省略）に着脱可能に取り付けられた主光源としての電球型蛍光灯２１と、スタンド１１に支持アーム１２を介して取り付けられた補助光源としての複数のＵＶＬＥＤ３１と、電球型蛍光灯２１に対して着脱可能に取り付けられたランプシェード４１とで構成されている。
【００３１】
そして、第３実施形態のランプシェード４１は、円錐台形状の骨組４２と、この骨組４２の円錐台形状の周面に取り付けられたシェード（笠）４８と、このシェード４８の上面の開口を所定の環状開口部を介して閉じ、電球型蛍光灯２１およびＵＶＬＥＤ３１からの光をランプシェード４１の内周面、すなわち、蓄光シート４９へ反射する蓋５１とで構成されている。
【００３２】
上記したこの実施形態の蓋５１は、図８に示すように、外径が上側リング４５の内径とほぼ同一で、上側リング４５内へ挿入可能な円形の平板で構成されている。
そして、蓋５１には、図８および／または図９に示すように、３つの取手用孔５１ａと、この取手用孔５１ａの外側で、取手用孔５１ａと同心円上に、例えば、９０度分割で位置し、スパイダ４４を挿通して傾斜させることのできる径を有した４つの傾斜貫通孔５１ｃとが設けられている。
なお、シェード４８と蓋５１との間には、放出手段としての環状開口部が設けられている。
【００３３】
次に、スパイダ４４および蓋５１の取付について説明する。
まず、９０度間隔で上方へ拡開する４本のスパイダ４４を窄め、４本のスパイダ４４の先端（上端）を対応する蓋５１の傾斜貫通孔５１ｃへ挿通して拡開させながら、図８に示すように、各スパイダ４４に蓋５１を支持させる。
そして、各スパイダ４４の上端に溶接によって上側リング４５を取り付けることにより、スパイダ４４および蓋５１を上側リング４５に取り付けることができる。
なお、蓋５１ががたつくようであれば、例えば、接着剤などを傾斜貫通孔５１ｃへ充填して蓋５１をスパイダ４４に固定すればよい。
【００３４】
次に、この第３実施形態における第２実施形態と異なる動作または作用について説明する。
この第３実施形態においては、シェード４８と蓋５１との間の環状開口部から熱、光が放出される。
【００３５】
上述したように、この考案の第３実施形態によれば、第１実施形態および第２実施形態と同様な効果を得ることができる。
そして、蓋５１をシェード４８内に位置させたので、意匠性が向上し、外観がよくなる。
また、傾斜貫通孔５１ｃへスパイダ４４を貫通させ、スパイダ４４を上側リング４５に取り付けることにより、蓋５１を取り付けることができるので、蓋５１を取り付けるための加工または取付手段は傾斜貫通孔５１ｃを開設することで済み、取付が簡単にできる。
さらに、シェード４８と蓋５１との間に環状開口部を設けたので、ランプシェード４１の内に一層熱を籠もらせることなく、また、周囲に照らす光をより多く放出させることができる。
【００３６】
上記した実施形態では、主光源を電球型蛍光灯２１とした例を示したが、主光源は普通の蛍光灯であってもよい。
そして、ランプシェード４１を懐中電灯などの照明具として使用するとき、さらに充分な光を得たい場合は、ＵＶＬＥＤ３１の個数を増やしたり、ワット数を大きくして蓄光シート４９に充分な光を照射する構成とすればよい。
また、補助光源をＵＶＬＥＤ３１として例を示したが、通常のＬＥＤ（発光ダイオード）であってもよい。
さらに、シェード４８を蓄光シート４９と、装飾シート５０とで構成した例を示したが、蓄光シート４９のみでシェードを構成してもよい。
【００３７】
そして、第２実施形態および第３実施形態において、把持部を取手用孔５１ａおよび／または取手用孔５１ｂとした例を示したが、取手の形態は、他の形態、例えば、蓋の上面に下向きコ字状の取手部を設けてもよい。
また、第３実施形態において、スパイダ４４を４本とし、傾斜貫通孔５１ｃを４つとした例を示したが、スパイダおよび傾斜貫通孔を３つ以上とすることにより、同様に機能させることができる。
さらに、第３実施形態において、傾斜貫通孔５１ｃに代え、傾斜貫通孔５１ｃから外周縁に到達する切欠としてもよい。
このように傾斜貫通孔５１ｃに代えて切欠を設けた場合は、図８のように、各切欠内に対応するスパイダを位置させた後、例えば、接着剤などで蓋を各スパイダに固定することにより、取り付けることができる。
【００３８】
【考案の効果】
以上説明したように、この考案によれば、主光源を蛍光灯とし、補助光源をＬＥＤとし、ランプシェードを着脱可能にするとともに、ランプシェードのシェードを、放光面を内周面とする蓄光シートを用いて構成したので、例えば、就寝時にＬＥＤで蓄光シートへ光を照射し続けることにより、災害によって停電時しても、ランプシェードを懐中電灯などの照明器具として利用して避難路を安全に避難することができる。
そして、主光源を蛍光灯としたので、低消費電力で発熱が少なくなり、蓄光シートへの蓄光光源として最適であるとともに、ランプシェードが高温にならず、火傷をすることがなくなる。
【００３９】
また、ＬＥＤの光で蓄光シートの励起を効率よく持続させるので、停電時においても充分な発光を、避難に必要な３０分以上も維持させることができる。
そして、ＬＥＤは毎晩８時間使用しても１ヶ月の電気代は１０円程度であり、また、ＬＥＤは耐久性を備えているので、電気代も少なくて済み、経済的である。
さらに、蓄光シートの耐久性は半永久的であるので、長期の使用に供することができる。
【００４０】
また、蛍光灯およびＬＥＤからの光をランプシェードの内周面へ反射する蓋を設けたので、蓄光シートに、例えば、２０％以上効率よくエネルギーを蓄えさせてより明るい光で長時間発光させることができるとともに、直接蛍光灯に手が触れるのを防止して安全性を向上させることができる。
そして、蓋に把持手段を設けたので、避難時の照明器具として利用する場合、把持手段を利用して安定した状態で把持することができる。
さらに、放出手段を設けたので、ランプシェードの内に熱を籠もらせず、周囲に照らす光をより多く放出させることができる。
また、補助光源をＵＶＬＥＤとしたので、蓄光シートの励起を効率よく持続させ、停電時においても充分な発光を、避難に必要な３０分以上も維持させることができる。
【図面の簡単な説明】
【図１】この考案の第１実施形態である電気スタンドの一部を断面にして概略構成を示す側面図である。
【図２】図１に示したシェードを構成する蓄光シートの拡大断面図である。
【図３】蓄光シートを構成する蓄光材の一例を示す特性図である。
【図４】蓄光シートを構成する蓄光材の他の例を示す特性図である。
【図５】蓄光シートの発光持続性の一例を示す特性図である。
【図６】この考案の第２実施形態である電気スタンドの一部を破断して概略構成を示す側面図である。
【図７】図６に示した蓋を示す拡大平面図である。
【図８】この考案の第３実施形態である電気スタンドの一部を断面にして概略構成を示す側面図である。
【図９】図８に示した蓋を示す拡大平面図である。
【符号の説明】
Ｌ　　　電気スタンド
１１　　スタンド
１２　　支持アーム
２１　　電球型蛍光灯（主光源）
３１　　ＵＶＬＥＤ（補助光源）
４１　　ランプシェード
４２　　骨組
４３　　取付部
４４　　スパイダ
４５　　上側リング
４６　　骨
４７　　下側リング
４８　　シェード
４９　　蓄光シート
４９ａ　ＰＶＣ（ポリ塩化ビニル）フィルム層
４９ｂ　蓄光層
４９ｃ　反射層
５０　　装飾シート
５１　　蓋
５１ａ　取手用孔（把持手段、放出手段）
５１ｂ　取手用孔（把持手段、放出手段）
５１ｃ　傾斜貫通孔
【図１】
0003097314.tif 000003
【図２】
0003097314.tif 000004
【図３】
0003097314.tif 000005
【図４】
0003097314.tif 000006
【図５】
0003097314.tif 000007
【図６】
0003097314.tif 000008
【図７】
0003097314.tif 000009
【図８】
0003097314.tif 000010
【図９】
0003097314.tif 000011